(57)【要約】【課題】フィット性が高い吸収性物品に関する。【解決手段】吸収性物品は、液透過性の表面シートと、裏面シートと、吸収性コアを有し上記表面シート及び上記裏面シートの間に配置された吸収体と、を備え、着用者の前後方向に対応する縦方向及び上記縦方向に直交する横方向を有する。上記吸収性コアは、上記縦方向の両端部側に位置する前方コア部及び後方コア部と、上記前方コア部及び上記後方コア部の間に位置し、上記前方コア部及び上記後方コア部よりも幅の狭い中間コア部と、を有する。上記吸収体は、上記吸収性コアが厚み方向に圧縮された複数の凹部が形成され、上記中間コア部の上記横方向両側部に位置する第１凹部形成領域を有する。【選択図】図３
2020000591.tif 000002
【特許請求の範囲】
【請求項１】
液透過性の表面シートと、裏面シートと、吸収性コアを有し前記表面シート及び前記裏面シートの間に配置された吸収体と、を備え、着用者の前後方向に対応する縦方向及び前記縦方向に直交する横方向を有する吸収性物品であって、
前記吸収性コアは、
前記縦方向の両端部側に位置する前方コア部及び後方コア部と、
前記前方コア部及び前記後方コア部の間に位置し、前記前方コア部及び前記後方コア部よりも幅の狭い中間コア部と、を有し、
前記吸収体は、
前記吸収性コアが厚み方向に圧縮された複数の凹部が形成され、前記中間コア部の前記横方向両側部に位置する第１凹部形成領域を有する
吸収性物品。
【請求項２】
前記中間コア部は、
前記横方向中央部に形成された高坪量部と、
前記高坪量部より低い坪量を有し前記横方向両側部に形成された低坪量部と、を含み、
前記第１凹部形成領域は、前記低坪量部から前記高坪量部まで延出している
請求項１に記載の吸収性物品。
【請求項３】
前記吸収性コアは、
前記後方コア部の前記横方向中央部に形成され、前記縦方向に延びる低坪量の縦溝部をさらに有し、
前記吸収体は、
前記凹部が形成され、前記縦溝部を挟んで前記横方向両側部に位置する第２凹部形成領域を有する
請求項１又は２に記載の吸収性物品。
【請求項４】
前記吸収性コアは、
前記中間コア部と前記後方コア部との境界部に形成され、前記横方向に延びる低坪量の境界溝部をさらに有し、
前記第１凹部形成領域及び前記第２凹部形成領域は、それぞれ前記境界溝部から離間している
請求項３に記載の吸収性物品。
【請求項５】
前記吸収体は、
前記吸収性コアを被覆するコアラップシートをさらに有し、
前記凹部では、前記コアラップシートを介して前記吸収性コアが前記厚み方向に圧縮されており、前記コアラップシートが前記凹部へ陥入している
請求項１ないし４のいずれか一項に記載の吸収性物品。
【発明の詳細な説明】
【技術分野】
【０００１】
本発明は、生理用ナプキン等の吸収性物品に関する。
【背景技術】
【０００２】
生理用ナプキン等のように、下着の内側に配して使用するタイプの吸収性物品は、経血等の液状物を吸収するための吸収体を備えている。吸収体は、当該液状物を吸収し拡散する吸収性コアのほか、当該吸収性コアを被覆するコアラップシート等を有する。例えば特許文献１には、装着者の排泄領域に対向する吸収性コアの中央領域に、排泄領域に対するフィット性を高めるための突出部が設けられた吸収性物品が開示されている。
【先行技術文献】
【特許文献】
【０００３】
【特許文献１】特開２０１４−１０４０９３号公報
【発明の概要】
【発明が解決しようとする課題】
【０００４】
吸収性物品の着用時には、吸収性物品の中間部に対し、着用者の左右の脚から横方向の外力が付加される。したがって、このような外力を受けた場合にも、高いフィット性を維持できるような吸収性物品が求められている。
【０００５】
本発明の課題は、フィット性が高い吸収性物品に関する。
【課題を解決するための手段】
【０００６】
本発明の一形態に係る吸収性物品は、液透過性の表面シートと、裏面シートと、吸収性コアを有し上記表面シート及び上記裏面シートの間に配置された吸収体と、を備え、着用者の前後方向に対応する縦方向及び上記縦方向に直交する横方向を有する。
上記吸収性コアは、
上記縦方向の両端部側に位置する前方コア部及び後方コア部と、
上記前方コア部及び上記後方コア部の間に位置し、上記前方コア部及び上記後方コア部よりも幅の狭い中間コア部と、を有する。
上記吸収体は、
上記吸収性コアが厚み方向に圧縮された複数の凹部が形成され、上記中間コア部の上記横方向両側部に位置する第１凹部形成領域を有する。
【発明の効果】
【０００７】
以上のように、本発明の吸収性物品によれば、フィット性を高めることができる。
【図面の簡単な説明】
【０００８】
【図１】本発明の一実施形態の吸収性物品を示す平面図である。
【図２】図１のII−II線で切断した断面図である。
【図３】上記吸収性物品の吸収性コアを示す平面図である。
【図４】図２の吸収体を示す模式的な断面図である。
【図５】図３の第１凹部形成領域の他の構成例を示す拡大平面図である。
【図６】図４の吸収体の他の構成例を示す模式的な断面図である。
【図７】図１のVII−VII線で切断した断面図である。
【図８】上記吸収性物品を着用した際の着用者の臀部の臀裂と上記吸収性コアの後方コア部における変形状態との関係を説明する模式図である。
【図９】図４の吸収体の他の構成例を示す模式的な断面図である。
【発明を実施するための形態】
【０００９】
以下、図面を参照しながら、本発明の実施形態を説明する。
【００１０】
［ナプキンの全体構成］
図１に示す吸収性物品１は、本体Ｍと、一対のウイング部Ｗと、一対のサイドガードＧと、一対の後方フラップ部Ｆと、圧搾溝部Ｅと、を備える。吸収性物品１は、生理用ナプキンとして構成され、以下、ナプキン１と称する。
ナプキン１は、着用者の前後方向に対応する縦方向Ｘと、着用者の左右方向に対応し縦方向Ｘに直交する横方向Ｙとを有する。さらに、ナプキン１は、縦方向Ｘ及び横方向Ｙの双方に直交する厚み方向Ｚを有する。なお、本明細書では、厚み方向Ｚに関しては、着用時に着用者の肌に近い側を上、着衣に近い側を下という事がある。ナプキン１は、就寝時に使用されてもよく、例えば縦方向Ｘに沿って３０ｃｍ以上の長さを有していてもよい。
【００１１】
本体Ｍは、縦方向Ｘに沿って延び、着用時に着用者の着衣の内面に固定される。本体Ｍは、後述する吸収体１１を有しており、着用者の経血等の液状物（以下、「液」とも称する）を吸収する機能を有する。
【００１２】
ウイング部Ｗは、本体Ｍから横方向Ｙの外方に大きく突出するように構成される。
サイドガードＧは、本体Ｍの横方向Ｙ周縁において、縦方向Ｘに延びるように配置される。
後方フラップ部Ｆは、本体Ｍの後方部において横方向Ｙの外方に膨出するように構成される。
圧搾溝部Ｅは、本体Ｍの周縁に形成された線状溝であり、本体Ｍの後述する表面シート１２側から厚み方向Ｚに圧搾加工することによって形成される。
なお、ナプキン１は、ウイング部Ｗ、サイドガードＧ、後方フラップ部Ｆ及び圧搾溝部Ｅのうちの少なくとも一つを有さなくてもよい。
【００１３】
図２に示すように、ナプキン１は、吸収体１１と、表面シート１２と、裏面シート１３と、一対のサイドシート１４と、を備える。本体Ｍにおいて、ナプキン１は、裏面シート１３、吸収体１１及び表面シート１２が厚み方向Ｚに積層された構成を有する。これらの構成は、例えば、接着剤やヒートシール等による接合、及び圧搾溝部Ｅによるエンボス加工等によって、適宜接合されて一体化している。
【００１４】
吸収体１１は、縦方向Ｘに沿って延び、表面シート１２と裏面シート１３との間に配置される。吸収体１１は、液を表面シート１２側の面から吸収し、内部で拡散させて当該液を保持する。
吸収体１１は、吸収性コア１６と、コアラップシート１７と、を有する。
吸収性コア１６は、例えば、パルプ繊維等の親水性繊維で構成された繊維集合体で形成されてもよいし、当該繊維集合体に吸水性ポリマーを保持させた構成を有していてもよい。
コアラップシート１７は、吸収性コア１６を被覆し、例えば吸収性コア１６の形状を保持する機能等を有する。コアラップシート１７は、例えばティッシュペーパー状の薄く柔らかい紙や液透過性の不織布等で形成される。
吸収体１１の詳細については後述する。
【００１５】
表面シート１２は、液透過性のシート材として構成され、吸収体１１の厚み方向Ｚ上方に配置される。なお、表面シート１２と吸収体１１との間には、表面シート１２から吸収体１１への液の透過性の向上、吸収体１１に吸収された液の表面シート１２への液戻りの防止等の観点から、セカンドシート（サブレイヤーシート）が配置されていてもよい。
【００１６】
裏面シート１３は、吸収体１１の厚み方向Ｚ下方に配置される。裏面シート１３は、例えば周縁部において、表面シート１２及びサイドシート１４と接着剤、熱シール等によって接合される。裏面シート１３は、接着剤等によって吸収体１１に接合されていてもよい。
裏面シート１３は、例えば、液難透過性、水蒸気透過性及び撥水性等の機能を有するシート材で形成される。当該シート材としては、例えば熱可塑性樹脂のフィルムや、当該フィルムと不織布とのラミネート等を用いることができる。
【００１７】
裏面シート１３の外面には、粘着部１５が設けられる。粘着部１５は、ナプキン１を着衣に対して固定させるずれ止め材としての機能を有し、例えば、裏面シート１３にホットメルト粘着剤等の粘着剤を塗工することにより形成される。粘着部１５は、図２に示すように、本体Ｍ及びウイング部Ｗに設けられ、さらに後方フラップ部Ｆにも設けられてもよい（図７参照）。
【００１８】
一対のサイドシート１４は、表面シート１２を挟んで左右方向に相互に対向し、ナプキン１の横方向Ｙ周縁に配置される。サイドシート１４は、本実施形態において、横方向Ｙ周縁部が外側に折り返されて、サイドガードＧを構成する。サイドシート１４は、サイドガードＧの基部において接着剤等により表面シート１２に接合される。
【００１９】
［吸収性コアの構成］
図３に示すように、吸収性コア１６は、前方コア部２０と、中間コア部２１と、後方コア部２２と、を有する。前方コア部２０、中間コア部２１及び後方コア部２２は、縦方向Ｘに沿って並んでいる。すなわち、前方コア部２０及び後方コア部２２は縦方向Ｘの両端部側に位置し、前方コア部２０及び後方コア部２２の間に中間コア部２１が位置する。中間コア部２１は、着用者の排泄領域に対向する領域であり、前方コア部２０及び後方コア部２２は、着用者の排泄領域の前方及び後方にそれぞれ対向する部分である。吸収性コア１６は、横方向Ｙにおいて左右対称な平面形状を有する。本実施形態のナプキン１においては、中間コア部２１の縦方向Ｘの長さが、ウイング部Ｗの前後付け根で区画される縦方向Ｘの長さ以上となっている。
【００２０】
中間コア部２１は、前方コア部２０の幅寸法Ｄ１及び後方コア部２２の幅寸法Ｄ３よりも狭い幅寸法Ｄ２を有する。つまり、吸収性コア１６は、中間コア部２１において横方向Ｙに括れた平面形状を有する。
中間コア部２１の幅寸法Ｄ２は、横方向Ｙにおける最小幅寸法をいうものとする。前方コア部２０の幅寸法Ｄ１及び後方コア部２２の幅寸法Ｄ３は、横方向Ｙにおける最大幅寸法をいうものとする。
吸収性コア１６が幅狭な中間コア部２１を有することで、着用者の両脚が閉じ股間幅が狭くなった場合に、中間コア部２１に付加される横方向Ｙからの外力を低減させることができる。
【００２１】
なお、前方コア部２０の幅寸法Ｄ１及び後方コア部２２の幅寸法Ｄ３は同一でも異なっていてもよく、図３に示す例では、略同一の寸法を有する。また、前方コア部２０及び後方コア部２２の縦方向Ｘの長さ寸法は同一でも異なっていてもよく、例えば後方コア部２２がより長く構成される。
【００２２】
前方コア部２０及び後方コア部２２は、中間コア部２１との接続部において徐々に横方向Ｙの幅が狭くなるように構成される。つまり、前方コア部２０は、中間コア部２１に向かって幅寸法が漸減する前方テーパ領域２０ｔを有し、後方コア部２２は、中間コア部２１に向かって幅寸法が漸減する後方テーパ領域２２ｔを有する。
【００２３】
図３に示す例では、中間コア部２１の幅寸法Ｄ２が縦方向Ｘに沿って一定である。また、前方コア部２０の幅寸法Ｄ１及び後方コア部２２の幅寸法Ｄ３も、前方テーパ領域２０ｔ及び後方テーパ領域２２ｔ以外の領域で縦方向Ｘに沿って一定である。但し、これらの態様に限定されない。
なお、ある領域において「幅寸法が一定」とは、当該領域の横方向Ｙにおける最小幅を１００％としたときに、当該領域内の幅寸法の差異が２０％以下に収まっていることをいう。前方コア部２０及び後方コア部２２では、横方向Ｙにおける最小幅を１００％としたときに各領域内の幅寸法の差異が１０％以下であることが好ましい。
【００２４】
［第１凹部形成領域の構成］
吸収体１１は、中間コア部２１が横方向Ｙから大きな外力を受けた場合に、着用者との間に隙間が発生する変形を防止する観点から、第１凹部形成領域Ｒｆ１を有する。
【００２５】
図３及び図４に示すように、第１凹部形成領域Ｒｆ１は、吸収性コア１６が厚み方向Ｚに圧縮された複数の凹部Ｒが形成され、中間コア部２１の横方向Ｙ両側部２１ｄに位置する。つまり、第１凹部形成領域Ｒｆ１は、左右に分断されて形成されている。
吸収性コア１６の各部において、「横方向Ｙ側部」とは、各部を横方向Ｙに３等分したうちの外側部分をいう。これに対して、各部における「横方向Ｙ中央部」とは、各部を横方向Ｙに３等分したうちの中央部分をいう。また、「横方向Ｙ側部」を単に「側部」、「横方向Ｙ中央部」を単に「中央部」とも称する。
第１凹部形成領域Ｒｆ１では、局所的に吸収性コア１６が圧縮された状態であり、圧密化された凹部Ｒの周囲に非圧縮部が位置する構成となる。凹部Ｒを設けることで、吸収性コア１６が高密度となり剛性を高めるとともに、非圧縮部の存在により、柔軟性や質感を調整可能となる。
【００２６】
図３に示す第１凹部形成領域Ｒｆ１は、縦方向Ｘにおいて、前方コア部２０との境界部Ｐ１に接する領域から後方コア部２２との境界部Ｐ２の手前まで延びている。つまり、第１凹部形成領域Ｒｆ１は、中間コア部２１のほぼ全長にわたって形成されているが、後方コア部２２との境界部Ｐ２からは離間している。
なお、以下の説明において境界部Ｐ１とは、前方コア部２０及び中間コア部２１の間のいずれにも属さない部分をいい、境界部Ｐ２とは、後方コア部２２及び中間コア部２１の間のいずれにも属さない部分をいう。
上記の他、第１凹部形成領域Ｒｆ１は、中間コア部２１の全長にわたって延びていてもよいし、図３に示す例よりも短い範囲であってもよい。
【００２７】
横方向Ｙにおいて、各第１凹部形成領域Ｒｆ１は、側部２２ｄのほぼ全幅にわたって形成されており、中間コア部２１の横方向Ｙ端部（以下、側端部２１ｅと称する）から中央部２２ｃ近傍まで形成されている。
なお、第１凹部形成領域Ｒｆ１の範囲は、凹部Ｒが近接して形成される領域において、最も外側に位置する凹部Ｒを囲う範囲とする。例えば、図３における第１凹部形成領域Ｒｆ１の縦方向Ｘの範囲は、最前列の凹部Ｒの前端部から、最後列の凹部Ｒの後端部までの範囲となる。また、第１凹部形成領域Ｒｆ１の横方向Ｙの範囲は、分断された各領域において、左側最外列の凹部Ｒの左側端部から右側最外列の凹部Ｒの右側端部までの範囲となる。
上記の他、第１凹部形成領域Ｒｆ１は、例えば側部２１ｄの一部にのみ形成されていてもよい。
【００２８】
第１凹部形成領域Ｒｆ１において、凹部Ｒは、縦方向Ｘ及び横方向Ｙに沿って所定の間隔で形成されている。これらの間隔は、１〜３０ｍｍの範囲で設けることが好ましいが、後述する凹部Ｒの平面形状や大きさ及び該領域における吸収体コアの坪量を考慮し、効果が発現しうる適切な剛性の観点から定めることが望ましい。例えば、縦方向Ｘにおける凹部Ｒ間の間隔は、吸収性コアの坪量が１５０〜６００ｇ／ｍ２の時は好ましくは４〜１２ｍｍである。吸収性コアの坪量が高くなると、好ましい凹部Ｒ間の間隔は広くなり、吸収性コア１６の坪量が低くなると、好ましい凹部Ｒ間の間隔は狭くすることで吸収性コア１６の剛性を適度な範囲に調整できる。横方向Ｙにおける凹部Ｒ間の間隔も同様に、吸収性コア１６の坪量が１５０〜６００ｇ／ｍ２の時には好ましくは４〜１２ｍｍである。なお、凹部Ｒ間の間隔は、ＸＹ平面上における凹部Ｒの中心間の距離とする。
図３に示す例において、凹部Ｒの配置は、矩形格子状の配置である。すなわち、縦方向Ｘに沿った各縦列の凹部Ｒが、隣接する縦列の凹部Ｒと横方向Ｙに沿った横列をなすように配置されている。
この他、図５に示すように、凹部Ｒの配置は、斜方格子状の千鳥配置でもよい。つまり、横方向Ｙに隣接する各縦列の凹部Ｒが、例えば半分の間隔で相互に縦方向Ｘにずれて配置されている。これにより、凹部Ｒを密に配置することができ、第１凹部形成領域Ｒｆ１の剛性を高めることができる。
なお、凹部Ｒの配置はこれらに限られず、例えば六角格子状、その他の格子状の配置でもよいし、ランダムな配置でもよい。
【００２９】
（凹部の構成）
図３及び図４に示す凹部Ｒの平面形状は、円形状である。なお、凹部Ｒの平面形状とは、ＸＹ平面上における凹部Ｒの開口部Ｒａ（図４参照）の形状をいう。凹部Ｒの平面形状は、円形状のほか、楕円形状、線状、矩形状、三角形状、その他の多角形状等、種々の形状を採り得る。
凹部Ｒが円形状又は楕円形状の場合の各凹部Ｒの径ｒは、一層フィット性が発現しうる適切な剛性及び加工適性の観点から、好ましくは１〜４ｍｍである。なお、「凹部の径」は、円形状の場合は開口部Ｒａの直径、楕円形状の場合は開口部Ｒａの長径である。円形状の場合は、どの方向に対しての剛性も一様に設計できる観点で好ましい。なお、剛性に一定の異方性を設ける場合は、矩形状、楕円形上などが好ましく、その効果や目的に合わせて適宜に設計しうる。
【００３０】
凹部Ｒは、吸収体１１の表面を厚み方向Ｚに圧縮加工することで形成される。一例として、凹部Ｒに対応する形状の凸部が形成されたエンボスロールと、周面が平坦なフラットロールとを用いて、エンボスロールとフラットロールとの間に吸収体１１を挟み込むことで形成される。
【００３１】
図４に示すように、凹部Ｒは、吸収体１１の肌側の上面１１ａから厚み方向Ｚ下方に向かって形成される。凹部Ｒは、例えば、上面１１ａに形成された開口部Ｒａと、開口部Ｒａの厚み方向Ｚ下方に形成された底部Ｒｂと、を含んでいる。図４では、底部Ｒｂが平坦面で構成され、開口部Ｒａ及び底部Ｒｂを接続する筒状の内周面が形成されている。その他の構成例として、例えば底部Ｒｂが内周面と連続した曲面であってもよい。
【００３２】
凹部Ｒの深さ寸法ｄは、吸収性コア１６の厚みにもよるが、一層フィット性が発現しうる適切な剛性の付与の観点から、好ましくは周囲の非圧縮部分との厚みの比率として５０％〜１０％であることが好ましい。ここでいう「凹部の深さ寸法」とは、凹部Ｒの開口部Ｒａから底部Ｒｂの最も深い部分までの厚み方向Ｚの寸法をいう。なお、後述するように、凹部Ｒは、吸収性コア１６だけでなくコアラップシート１７もともに圧縮されて形成され得る。この場合、凹部Ｒの内面はコアラップシート１７の外面で構成され、「凹部の深さ寸法」は、コアラップシート１７の外面を基準とした深さ寸法となる。
【００３３】
図４に示す例において、凹部Ｒは、開口部Ｒａから底部Ｒｂに向かってＸＹ平面における断面が徐々に小さくなるように構成される。つまり、凹部Ｒは、略円錐台形状の空間を構成する。これにより、凹部Ｒを形成するためのエンボスロール等の凸部が先細りの円錐台形状となって吸収体１１を強い圧力で圧縮しやすくなる。
【００３４】
また、図６に示すように、吸収体１１には、上面１１ａ及び着衣側の下面１１ｂの双方に凹部Ｒが形成されてもよい。図６の例では、上面１１ａ及び下面１１ｂの双方から吸収体１１が圧縮され、厚み方向Ｚに対をなす２つの凹部Ｒが形成されている。これにより、凹部Ｒにおける吸収性コア１６の圧縮率をより高めることができ、第１凹部形成領域Ｒｆ１の剛性を高めることができる。
他の態様として、吸収体１１は、下面１１ｂから厚み方向Ｚ上方に向かって形成された凹部Ｒのみを有していてもよい。また、上面１１ａ及び下面１１ｂの厚み方向Ｚに重ならない位置にそれぞれ凹部Ｒが形成されていてもよい。
【００３５】
以上のように、各凹部Ｒは、吸収性コア１６が厚み方向Ｚに圧縮されているため、周囲の非圧縮部分と比較して高い密度を有する。これにより、凹部Ｒは、非圧縮部分よりも高い剛性を有し、変形し難くなる。第１凹部形成領域Ｒｆ１にはこのような凹部Ｒが複数形成されることから、中間コア部２１の横方向Ｙ側部２１ｄの剛性を高めることができる。
また着用時には、中間コア部２１が、着用者の大腿部から横方向Ｙ内方への外力を受ける。ナプキン１では、中間コア部２１が幅狭に構成されるため、当該外力の影響を緩和することができる。さらに、中間コア部２１の側部２１ｄの剛性が高いため、大きな外力を受けた場合にも、側部２１ｄが当該外力によって、山折り及び谷折りされ横方向Ｙに折り畳まれるように変形すること（以下、このような変形を圧縮変形とも称する）を抑制できる。したがって、上記圧縮変形による排泄領域との間の隙間の発生を防止し、フィット性を高めることができる。
加えて、仮に大きな外力が付加された場合でも、側部２１ｄの一部が中央部２１ｃの裏側に潜り混むように変形し得る。これにより、中間コア部２１の中央部２１ｃが厚み方向Ｚ上方に盛り上がるような形状となり、大きな外力を受けた場合でも排泄領域に対するフィット性を維持することができる。
【００３６】
［中間コア部の坪量分布］
図３及び図４に示すように、中間コア部２１は、高坪量部２３と、高坪量部２３よりも低い坪量を有する低坪量部２４と、を有する。図３では、高坪量部２３を斜線で示している。
高坪量部２３は、横方向Ｙ中央部２１ｃに位置し、例えば厚み方向Ｚ上方に突出する。
低坪量部２４は、横方向Ｙ両側部２１ｄに形成される。図３に示す例では、低坪量部２４は、高坪量部２３を挟んで左右に分割されている。
高坪量部２３は、低坪量部２４よりも坪量が高いため、低坪量部２４から厚み方向Ｚ上方に突出し、低坪量部２４よりも厚く構成される。
【００３７】
図３に示す例では、高坪量部２３は、中間コア部２１の全長にわたって縦方向Ｘに延びている。また、高坪量部２３の前後端部は、円弧形状又は楕円弧形状を有している。
なお、高坪量部２３の縦方向Ｘの長さ寸法は、中間コア部２１の長さ寸法に一致しなくてもよく、先端の形状も、三角形状、台形状、角が丸い矩形状等、種々の形状であり得る。
【００３８】
図３及び図４に示すように、第１凹部形成領域Ｒｆ１は、低坪量部２４から高坪量部２３まで延出してもよい。例えば、第１凹部形成領域Ｒｆ１は、低坪量部２４のほぼ全域を占めるとともに、高坪量部２３の横方向Ｙ周縁部まで延出する。図３及び図４には、低坪量部２４に縦２列の凹部Ｒ、高坪量部２３に縦１列の凹部Ｒが形成されている例が示されているが、これに限定されない。例えば、高坪量部２３及び低坪量部２４の境界部上（後述する縦溝部２６ｄ上）に凹部Ｒの縦列が形成されていてもよい。
【００３９】
第１凹部形成領域Ｒｆ１が低坪量部２４から高坪量部２３まで延出していることで、低坪量部２４及び高坪量部２３の境界部の剛性を高めることができる。これにより、当該境界部に沿って中間コア部２１が谷折りされることを防止し、圧縮変形を効果的に抑制できる。したがって、中間コア部２１と排泄領域との間の隙間の発生をより効果的に防止できる。
【００４０】
［第２凹部形成領域の構成］
図３及び図７に示すように、ナプキン１では、後方コア部２２にも凹部Ｒが形成されている。
つまり、吸収体１１は、凹部Ｒが形成され、後方コア部２２の横方向Ｙ両側部２２ｄに位置する第２凹部形成領域Ｒｆ２を有する。なお、第２凹部形成領域Ｒｆ２における凹部Ｒは、第１凹部形成領域Ｒｆ１の凹部Ｒと同様の構成を有するため、詳細な説明を省略する。
【００４１】
図３に示すように、第２凹部形成領域Ｒｆ２は、縦方向Ｘにおいて、後方コア部２２の後方テーパ領域２２ｔを除く領域全体にわたって延びている。横方向Ｙにおいて、第２凹部形成領域Ｒｆ２は、左右に分断され、それぞれ側端部２２ｅから中央部２２ｃとの境界部分の手前（後述する縦溝部２６ｄの外側）まで形成されている。
なお、第２凹部形成領域Ｒｆ２の範囲は、第１凹部形成領域Ｒｆ１と同様に定義される。
【００４２】
第２凹部形成領域Ｒｆ２においても、凹部Ｒは、例えば縦方向Ｘ及び横方向Ｙに沿って所定の間隔で形成されている。図３に示す例において、第２凹部形成領域Ｒｆ２における凹部Ｒの配置は、第１凹部形成領域Ｒｆ１と同様の矩形格子状の配置であり、凹部Ｒが縦３列に並んで配置されている。また、凹部Ｒの配置は、斜方格子状の千鳥配置でもよいし、他の配置でもよい。
第２凹部形成領域Ｒｆ２の凹部Ｒの形状及び各寸法は、第１凹部形成領域Ｒｆ１の凹部Ｒと同一でもよいし異なっていてもよい。
【００４３】
後方コア部２２に第２凹部形成領域Ｒｆ２を設けることにより、後方コア部２２の両側部２２ｄにおける圧縮変形を抑制することができる。これにより、後方コア部２２と着用者との間の隙間の発生を抑制し、排泄領域後方からの伝い漏れも防止することができる。
【００４４】
［第３凹部形成領域の構成］
図３に示すように、さらに前方コア部２０にも凹部Ｒが形成されていてもよい。
つまり、吸収体１１は、凹部Ｒが形成され、前方コア部２０の横方向Ｙ両側部に位置する第３凹部形成領域Ｒｆ３を有する。
第３凹部形成領域Ｒｆ３は、縦方向Ｘにおいて、例えば前方コア部２０の前方テーパ領域２０ｔを除く領域全体にわたって延びている。横方向Ｙにおいて、第３凹部形成領域Ｒｆ３は、左右に分断され、それぞれ側端部から中央部との境界部分の手前（後述する縦溝部２６ｄの外側）まで形成されている。
なお、第３凹部形成領域Ｒｆ３の範囲は、第１凹部形成領域Ｒｆ１と同様に定義される。
【００４５】
第３凹部形成領域Ｒｆ３においても、凹部Ｒは、例えば縦方向Ｘ及び横方向Ｙに沿って所定の間隔で形成されている。図３に示す例では、第３凹部形成領域Ｒｆ３における凹部Ｒの配置は、第１凹部形成領域Ｒｆ１と同様の矩形格子状の配置であり、凹部Ｒが縦３列に並んで配置されている。また、凹部Ｒの配置は、斜方格子状の千鳥配置でもよいし、他の配置でもよい。
第３凹部形成領域Ｒｆ３の凹部Ｒの形状及び各寸法は、第１凹部形成領域Ｒｆ１の凹部Ｒと同一でもよいし異なっていてもよい。
【００４６】
このような第３凹部形成領域Ｒｆ３によっても、前方コア部２０の横方向Ｙ両側部における圧縮変形を抑制することができ、前方コア部２０と着用者との間の隙間の発生を抑制することができる。
【００４７】
［溝部の構成］
図３に示すように、吸収性コア１６は、低坪量の縦溝部２６、境界溝部２７ｃ，２７ｄ及び横溝部２８によってブロック状に分割されている。これらの溝部２６〜２８は、吸収性コア１６の上面に開口し、厚み方向Ｚ下方に向かって形成された溝を有し、周囲より低い坪量を有する。溝部２６〜２８により、吸収性コア１６に柔軟性を付与するとともに、着用者の身体へのフィット性を高めることができる。
特に、第１凹部形成領域Ｒｆ１及び第２凹部形成領域Ｒｆ２に対する縦溝部２６及び境界溝部２７ｄの位置関係を考慮することで、第１凹部形成領域Ｒｆ１及び第２凹部形成領域Ｒｆ２の上記作用効果を高め、ナプキン１をよりフィット性の高い形状に誘導することができる。
なお、吸収性コア１６では、溝部２６〜２８の一部が凹部Ｒによって潰れていてもよい。また、図４、図６及び図９では、縦溝部２６の図示を省略している。
【００４８】
（縦溝部）
図３及び図７に示すように、吸収性コア１６は、後方コア部２２の横方向Ｙ中央部２２ｃに形成され、縦方向Ｘに延びる低坪量の縦溝部２６ｃを有する。縦溝部２６ｃは、坪量が低く厚みが薄いため、溝部以外の領域と比較して変形しやすい領域となる。
図３に示す例において、縦溝部２６ｃは、縦方向Ｘにおいて、後方コア部２２の全長にわたって形成されているが、後方コア部２２の一部に形成されていてもよい。
【００４９】
図８を用いて、縦溝部２６ｃの着用時における作用について説明する。
同図に示すように、後方コア部２２は、着用時に着用者の臀部Ｈに対向し得る。また、臀部Ｈは臀裂Ｈ１を有し、左右に分かれた形状を有する。
後方コア部２２では、剛性の低い縦溝部２６ｃが変形の起点となりやすい。このため、図８に模式的に示すように、後方コア部２２では、着用時に縦溝部２６ｃの位置する横方向Ｙ中央部２２ｃが厚み方向Ｚ上方に突出し、臀裂Ｈ１に沿うように変形する。したがって、着用者の臀裂Ｈ１とナプキン１との間の隙間が小さくなり、排泄領域の後方におけるナプキン１のフィット性を高めることができる。またこれにより、ナプキン１では、後方における隙間に起因する液の伝い漏れが抑制される。
【００５０】
なお、吸収性コア１６は、縦溝部２６ｃの他、後方コア部２２に形成された他の縦溝部を有していてもよい。例えば、吸収性コア１６は、縦溝部２６ｃの横方向Ｙ外側に位置する縦溝部２６ｄと、縦溝部２６ｄの横方向Ｙ外側に位置する縦溝部２６ｅと、を有する。
これらを区別して、縦溝部２６ｃを「第１縦溝部」、縦溝部２６ｄを「第２縦溝部」、縦溝部２６ｅを「第３縦溝部」とも称する。また、吸収性コア１６に形成された縦溝部２６ｃ，２６ｄ，２６ｅをまとめて「縦溝部２６」とも称する。
図３に示す例では、第２縦溝部２６ｄは、後方コア部２２の中央部２２ｃと側部２２ｄの境界部分に形成され、第３縦溝部２６ｅは、側部２２ｄに形成される。なお、縦溝部２６ｄは、中央部２２ｃに形成されてもよいし、側部２２ｄに形成されてもよい。
【００５１】
第１縦溝部２６ｃ及び第２縦溝部２６ｄは、後方コア部２２を図８に示すような臀裂Ｈ１に沿う形状へ誘導する観点から、第３縦溝部２６ｅよりも太く構成され得る。また、第３縦溝部２６ｅは、凹部Ｒによって潰れていてもよい。
【００５２】
（縦溝部と第２凹部形成領域Ｒｆ２との位置関係）
図３及び図７に示すように、第２凹部形成領域Ｒｆ２は、第１縦溝部２６ｃを挟んで横方向Ｙ両側部２２ｄに位置する。図３に示す例では、第２凹部形成領域Ｒｆ２は、第２縦溝部２６ｄの横方向Ｙ外側に位置しており、第３縦溝部２６ｅは第２凹部形成領域Ｒｆ２内に形成されている。
【００５３】
この構成では、第１縦溝部２６ｃ及び第２縦溝部２６ｄとその外側の領域との間の剛性差を高めることができ、第１縦溝部２６ｃ及び第２縦溝部２６ｄがより変形の起点になりやすくなる。これにより、後方コア部２２が、図８に示すような臀裂Ｈ１に沿う形状へより誘導されやすくなる。また、後方コア部の両側部２２ｄにおける圧縮変形を抑制でき、着用者との間の隙間の発生と、それによる排泄領域後方への伝い漏れを防止することができる。したがって、排泄領域の後方に対するフィット性を高めることができる。
【００５４】
（境界溝部）
図３に示すように、吸収性コア１６は、中間コア部２１と後方コア部２２との境界部Ｐ２に形成され、横方向Ｙに延びる低坪量の境界溝部２７ｄをさらに有する。
【００５５】
境界溝部２７ｄを形成することで、中間コア部２１が、横方向Ｙからの外力によって変形した場合に、当該変形に起因する内部応力（張力）が境界部Ｐ２を跨いで後方コア部２２にまで伝搬することを抑制できる。すなわち、中間コア部２１の側部２１ｄが中央部２１ｃの裏側に潜り込むように変形した場合でも、当該変形に追従した後方コア部２２の変形が抑制される。したがって、後方コア部２２の臀部Ｈに沿った好ましい形状が維持されやすくなり（図８参照）、排泄領域の後方に対するフィット性をさらに高めることができる。
【００５６】
吸収性コア１６は、中間コア部２１と前方コア部２０との境界部Ｐ１に形成され、横方向Ｙに延びる低坪量の境界溝部２７ｃをさらに有していてもよい。この境界溝部２７ｃによっても、境界溝部２７ｄと同様に、中間コア部２１の変形に基づく内部応力が前方コア部２０へ伝搬することが抑制され、中間コア部２１の変形に追従した前方コア部２０の変形が防止される。
【００５７】
（境界溝部と第１凹部形成領域及び第２凹部形成領域との位置関係）
第１凹部形成領域Ｒｆ１及び第２凹部形成領域Ｒｆ２は、いずれも境界溝部２７ｄから離間している。つまり、境界溝部２７ｄ上、及び境界溝部２７ｄと接する領域には、凹部Ｒが形成されていない。
この構成により、境界溝部２７ｄの剛性を低く維持でき、境界溝部２７ｄによる中間コア部２１及び後方コア部２２間の変形を遮断する作用を維持することができる。したがって、中間コア部２１及び後方コア部２２の双方に凹部Ｒを形成して好ましい形状へ誘導するとともに、相互の変形の影響を断ち切り、排泄領域とその後方の双方へのフィット性を両立させることができる。
【００５８】
［コアラップシートの構成］
図２及び図４に示すように、吸収体１１は、吸収性コア１６の他、コアラップシート１７を有する。コアラップシート１７は、吸収性コア１６を被覆し、吸収性コア１６の表裏を被覆するように吸収性コア１６の横方向Ｙに巻き付けられる。以下、詳細について説明する。
【００５９】
コアラップシート１７は、上述のように、紙、不織布等により形成される。つまり、コアラップシート１７は、吸収性コア１６よりも剛性が十分に低いシート材で構成されている。コアラップシート１７は、１枚のシート材で構成されてもよいし、複数のシート材で構成されてもよい。コアラップシート１７は、例えば所定のパターンに塗工された接着剤等によって、表面シート１２及び裏面シート１３に接合されてもよい。
【００６０】
コアラップシート１７の横方向Ｙに沿った幅寸法は、例えば縦方向Ｘに沿って一定に構成されるが、これに限定されず、縦方向Ｘ中間部で小さい又は大きい幅寸法を有するように構成されてもよい。
コアラップシート１７の縦方向Ｘに沿った長さ寸法は、吸収性コア１６の縦方向Ｘの長さ寸法（全長）と同等に形成されるが、これに限られず、吸収性コア１６の全長よりも長くてもよいし短くてもよい。
【００６１】
図４に示すように、凹部Ｒでは、コアラップシート１７を介して吸収性コア１６が厚み方向Ｚに圧縮されており、コアラップシート１７が凹部Ｒに陥入した構造となっている。つまり、コアラップシート１７は、凹部Ｒの内面を構成するとともに、凹部Ｒにおいて吸収性コア１６と接合した状態となる。
このような構成の凹部Ｒは、例えば、吸収性コア１６にコアラップシート１７を巻き付けた後、上述のエンボスロールとフラットロールとの間に吸収性コア１６及びコアラップシート１７を挟み込むことで形成される。
【００６２】
吸収体１１がコアラップシート１７を有することで、繊維集合体である吸収性コア１６の破壊を防止し、吸収体１１の形状を安定化させることができる。
さらに、凹部Ｒによってコアラップシート１７と吸収性コア１６が一体化されることで、吸収性コア１６からコアラップシート１７が浮きにくい構成となる。
【００６３】
図４に示すように、吸収体１１は、中間コア部２１が幅狭に構成されるため、中間コア部２１の側部２１ｄから外側にコアラップシート１７が延出した構成となる。つまり、コアラップシート１７に中間コア部２１を被覆しない余剰部分１７ｓが生じる。
コアラップシート１７と吸収性コア１６が凹部Ｒにより一体化されることで、コアラップシート１７が、吸収性コア１６の表面に接合した状態に維持される。これにより、コアラップシート１７が、余剰部分１７ｓによって吸収性コア１６の表面から浮き上がることなく、吸収性コア１６との間に隙間が発生することを防止できる。したがって、コアラップシート１７を通過した液が当該隙間を介して漏れることなく、直ちに吸収性コア１６に吸収されることになり、吸収体１１の吸収性能を高めることができる。
【００６４】
［本実施形態の追加説明］
以下、本実施形態の説明を補足する。
【００６５】
（凹部形成領域の他の構成）
図９に示すように、第１凹部形成領域Ｒｆ１は、高坪量部２３まで延出しておらず、低坪量部２４にのみ形成されていてもよい。これによっても、中間コア部２１の側部２１ｄの剛性が高まり、側部２１ｄにおける圧縮変形を抑制できるとともに、中間コア部２１のフィット性を高める効果を発揮できる。
【００６６】
なお、第２凹部形成領域Ｒｆ２も、図３及び図７で示した態様に限定されない。例えば、第２凹部形成領域Ｒｆ２は、中央部２２ｃの縦溝部２６ｃの外側から側端部２２ｅまで形成されていてもよく、第２凹部形成領域Ｒｆ２内に縦溝部２６ｄ，２６ｅが形成されていてもよい。あるいは、第２凹部形成領域Ｒｆは、縦溝部２６ｅの外側に位置していてもよい。
【００６７】
（吸収性コアの各部の幅）
前方コア部２０及び後方コア部２２の幅寸法Ｄ１，Ｄ３は、好ましくは６０ｍｍ以上１００ｍｍ以下であり、より好ましくは７０ｍｍ以上９０ｍｍ以下である。
中間コア部２１の最も狭い部分の幅寸法Ｄ２は、好ましくは４０ｍｍ以上７５ｍｍ以下であり、より好ましくは５０ｍｍ以上７０ｍｍ以下である。
【００６８】
（吸収性コアの坪量）
縦溝部２６、境界溝部２７ｃ，２７ｄ及び横溝部２８を除く吸収性コア１６の坪量は、好ましくは１００ｇ／ｍ２以上１０００ｇ／ｍ２以下であり、より好ましくは１５０ｇ／ｍ２以上９００ｇ／ｍ２以下である。
また、高坪量部２３の坪量は、好ましくは４００ｇ／ｍ２以上１０００ｇ／ｍ２以下であり、より好ましくは５００ｇ／ｍ２以上９００ｇ／ｍ２以下である。
【００６９】
（吸収性コアの坪量の測定方法）
吸収性コア１６の測定対象領域を、フェザー社製片刃剃刀を用いて切断し、あらかじめ定めた面積となるように小片を得る。それらの小片の重量を電子天秤（Ａ＆Ｄ社製電子天秤ＧＲ−３００、精度：小数点以下４桁）を用いて測定する。求めた重量を各部の小片の面積で除して小片の坪量を算出する。各部のそれぞれについて、小片５個の坪量の平均を坪量とする。
【００７０】
（中間コア部の厚み寸法）
高坪量部２３及び低坪量部２４の厚み寸法は、坪量を考慮して設定することができる。
高坪量部２３の厚み方向Ｚの寸法は、例えば、３ｍｍ以上１５ｍｍ以下であり、好ましくは、５ｍｍ以上１３ｍｍ以下である。
低坪量部２４の非圧縮部分における厚み方向Ｚの寸法は、例えば、２ｍｍ以上１２ｍｍ以下、好ましくは、３ｍｍ以上１０ｍｍ以下である。
【００７１】
（縦溝部の追加説明）
縦溝部２６は、後方コア部２２のみならず、中間コア部２１及び前方コア部２０にも形成されていてもよい。図３に示す例では、第１縦溝部２６ｃは、吸収性コア１６の縦方向Ｘ全長にわたって延びている。第２縦溝部２６ｄは、後方コア部２２及び前方コア部２０の縦方向Ｘ全長にわたって延びるとともに、中間コア部２１では高坪量部２３の外縁に沿って延びている。つまり、第２縦溝部２６ｃは、中間コア部２１において一部湾曲しており、各部間で連続していない。第３縦溝部２６ｅは、後方コア部２２及び前方コア部２０の縦方向Ｘ全長にわたって延びている。これらの縦溝部２６の構成は限定されず、各部の縦方向Ｘの一部に形成されていてもよいし、溝幅が一定でなくてもよい。
また、図３において、各縦溝部２６が横方向Ｙにほぼ等間隔で配置されているが、等間隔でなくてもよい。
【００７２】
横溝部２８は、横方向Ｙに沿って延びる低坪量の溝部である。図３では、横溝部２８は、後方コア部２２、前方コア部２０及び中間コア部２１の各部にそれぞれ形成されているが、これらの一部のみに形成されていてよい。横溝部２８の配列間隔は、等間隔に限定されず、異なっていてもよい。また、各横溝部２８は、吸収性コア１６の横方向Ｙ全幅にわたって形成されているが、横方向Ｙの一部のみに形成されていてもよい。また、各横溝部２８の溝幅は、同一でもよいし、異なっていてもよい。
これらの横溝部２８は、吸収性コア１６に柔軟性を付与するとともに、着用者の身体へのフィット性を高めることができる。
【００７３】
縦溝部２６、境界溝部２７ｃ，２７ｄ及び横溝部２８の溝幅は、好ましくは、０．５ｍｍ以上１０ｍｍ以下であり、より好ましくは、１ｍｍ以上５ｍｍ以下である。縦溝部２６、境界溝部２７ｃ，２７ｄ及び横溝部２８の深さは、例えば、０．５ｍｍ以上１０ｍｍ以下である。
【００７４】
上記で説明した他にも、縦溝部２６、境界溝部２７ｃ，２７ｄ及び横溝部２８の形状や配置などの構成は、図３に記載された構成に限定されず、吸収性コア１６の形状や要求される機能等に基づいて適宜設定され得る。また、ナプキン１では、吸収性コア１６が、縦溝部２６、境界溝部２７ｃ，２７ｄ及び横溝部２８のうち少なくとも一つを有していなくてもよい。
【００７５】
なお、各溝部２６〜２８の「低坪量」とは、吸収性コア１６の材料が存在する形態の他、吸収性コア１６の材料が存在しない形態も含む概念である。各溝部２６〜２８で吸収性コア１６の材料が存在する形態では、各溝部２６〜２８を介してその両側に位置する吸収性コア１６のブロック状部位が接続されているため、吸収性コア１６が動きによってヨレ・破壊・千切れ等が生じ難く、かつ柔軟性を付与することが出来るためより好ましい。
【００７６】
以上、本発明の実施形態について説明したが、本発明は上述の実施形態にのみ限定されるものではなく、本発明の要旨を逸脱しない範囲内において種々変更を加え得ることは勿論である。
【００７７】
以上の実施形態では、吸収性物品として生理用ナプキンの例を示したが、これに限定されない。本発明の吸収性物品は、例えば、尿取りパットやおりものシート、使い捨ておむつ等であってもよい。特に、本発明は、生理用ナプキン、尿取りパット及びおりものシート等のパッド状吸収性物品に有用である。
【符号の説明】
【００７８】
１…ナプキン（吸収性物品）
１１…吸収体
１２…表面シート
１３…裏面シート
１６…吸収性コア
２０…前方コア部
２１…中間コア部
２２…後方コア部
Ｒ…凹部
Ｒｆ１…第１凹部形成領域
【図１】
2020000591.tif 000003
【図２】
2020000591.tif 000004
【図３】
2020000591.tif 000005
【図４】
2020000591.tif 000006
【図５】
2020000591.tif 000007
【図６】
2020000591.tif 000008
【図７】
2020000591.tif 000009
【図８】
2020000591.tif 000010
【図９】
2020000591.tif 000011